【事件の表示】
　特願２００７−２１８０９１号「冷蔵庫」拒絶査定不服審判事件〔平成２０年１１月　６日出願公開、特開２００８−２６７７７６号〕について、次のとおり審決する。
【結　論】
　本件審判の請求は、成り立たない。
【理　由】
第１　手続の経緯
　本願は、平成１９年８月２４日（優先権主張平成１９年３月２３日）の出願であって、 平成２０年１２月１５日付けで拒絶査定がされ、この査定に対し、平成２１年２月５日に本件審判が請求されたものである。
　
第２　本願発明について
１．本願発明
　本件出願の請求項１〜４に係る発明は、平成２０年９月１９日付け手続補正書により補正された特許請求の範囲の請求項１〜４に記載された事項により特定されるものと認められるところ、そのうちの請求項１に係る発明（以下「本願発明」という。）は、次のとおりである。
　「【請求項１】
　貯蔵室の前面開口部を閉塞する扉の裏面に保持され貯蔵室内の側壁に形成したレール部材によって引き出し可能に設けられた収納容器と、前記貯蔵室内に設けられこの収納容器の上部に配置された中段容器および上段容器とからなり、中央部に位置する前記中段容器は前記収納容器上に載置されて前後摺動自在に設けられ、最上部に位置する上段容器は、前記収納容器および中段容器とは独立して貯蔵室内の側壁面に形成した支持レールに摺動可能に保持され、その収納深さを前記中段容器よりも深くしたことを特徴とする冷蔵庫。」
　
２．　引用刊行物とその記載事項
（１）原査定の拒絶の理由に引用された、本願優先日前に頒布された刊行物である特開２００７−７１４９０号公報（以下「刊行物１」という。）には、引出し式扉を有する冷蔵庫に関し、図面とともに、次の技術的事項が記載されている。
　（ア）「【００２０】
  以下、本発明の一実施例について、図面を参照しながら説明する。まず図１及び図２を用いて説明する。図１は本発明の一実施例を示す冷蔵庫の縦断面図であり、図２は図１におけるＡ−Ａ線の断面図である。
【００２１】
  冷蔵庫の箱体３０は、外殻を構成する外箱３１と、各貯蔵室の内面を構成する内箱３２と、外箱３１と内箱３２との間に充填された断熱材３３とを備えて構成されている。冷蔵庫箱体３０内には、上から順に、冷蔵室３４、製氷室３５、冷凍室３６、野菜室３８が区画形成されている。これらの貯蔵室のうち、冷蔵室３４は回転式の扉によって前面開口部が閉塞されており、製氷室３５、冷凍室３６及び野菜室３８は引出し式の扉によって前面開口部が閉塞されている。
【００２２】
  冷凍室３６内には３段重ねの食品収納ケース４１，４２、４３が設けてあり、そのうちの中段と下段の食品収納ケース４２、４３は、引出し式の冷凍室扉３７を引き出すと扉とともに引き出される。最下段の食品収納ケース４３は、後述するようにフレーム５０に支えられて、冷凍室３６側壁の前縁に設けられた固定ローラ７１上を摺動して、引出し式扉３７とともに引出しが可能である。また、中段の食品収納ケース４２は、下段の食品収納ケース４３に載置されており、下段の食品収納ケース４３とともに引き出される構成になっている。」
　（イ）「【００２５】
  食品収納ケース４３を支持するフレーム５０は、冷凍室側壁の側に可動ローラ４５を備えている。可動ローラ４５はフレーム５０の可動ローラ取付部５１に取付けられ、この可動ローラ取付部５１は奥行方向に延伸するフレーム５０の奥端側に設けられる。したがって、冷凍室扉３が引き出されると、可動ローラ４５は、冷凍室３６内を奥方から手前側（図２では紙面では紙面奥側から紙面手前側）へと、レール６３に沿って移動する。」
　（ウ）「【００３０】
  なお、中段の食品収納ケース４２は、下段の食品収納ケース４３と一緒に引き出された後、下段の食品収納ケース４３内の貯蔵食品が出し入れできるように、冷凍室３６の側壁に設けたレール６２内を、食品収納ケースのフランジ４２ａにより、前後に摺動可能なように構成してある。」
　（エ）「【００３１】
  また、本実施例では３段の食品収納ケースを備えており、このうち、最上段の食品収納ケース４１は、中段の食品収納ケース４２及び下段の食品収納ケース４３とは独立して引き出される。すなわち、冷凍室３６の側壁に設けたレール６１内を、食品収納ケースのフランジ４１ａにより、前後に摺動可能としている。この構成によって、最上段の食品収納ケース４１及びこれに収納される食品の荷重は、内箱３２の側壁によって受けられ、フレーム５０に負担がかからない構成となっている。」
　
　・記載事項（ア）の「下段の食品収納ケース４３」は、「フレーム５０に支えられて、冷凍室３６側壁の前縁に設けられた固定ローラ７１上を摺動して、引出し式扉３７とともに引出しが可能」なものであって、そのフレーム５０が、記載事項（イ）の「フレーム５０は、冷凍室側壁の側に可動ローラ４５を備え」、「冷凍室扉３が引き出されると、可動ローラ４５は、冷凍室３６内を奥方から手前側（図２では紙面では紙面奥側から紙面手前側）へと、レール６３に沿って移動する」ものであるので、冷凍室扉３７の裏面に保持され冷凍室内の側壁に形成したレール６３によって引き出し可能に設けられた下段の食品収納ケース４３といえる。
　・記載事項（ア）の「食品収納ケース４１」、「中段の食品収納ケース４２」は、「３段重ねの食品収納ケース４１，４２、４３」であって、図１において、上方から「食品収納ケース４１」、「中段の食品収納ケース４２」、「下段の食品収納ケース４３」の順で冷凍室３６配置されたものであるので、冷凍室内に設けられ下段の食品収納ケース４３の上部に配置された中段の食品収納ケース４２および上段の食品収納ケース４１といえる。
　また、記載事項（ア）の「中段の食品収納ケース４２」は、「下段の食品収納ケース４３に載置されており、下段の食品収納ケース４３とともに引き出される構成」、かつ、記載事項（ウ）の「下段の食品収納ケース４３と一緒に引き出された後、下段の食品収納ケース４３内の貯蔵食品が出し入れできるように、冷凍室３６の側壁に設けたレール６２内を、食品収納ケースのフランジ４２ａにより、前後に摺動可能なように構成」したもので、図１において冷凍室３６の中央部に位置するものであるので、中央部に位置する中段の食品収納ケース４２は下段の食品収納ケース４３上に載置されて前後摺動自在に設けられているといえる。
　・記載事項（ア）の「食品収納ケース４１」は、記載事項（エ）の「最上段の食品収納ケース４１は、中段の食品収納ケース４２及び下段の食品収納ケース４３とは独立して引き出される。すなわち、冷凍室３６の側壁に設けたレール６１内を、食品収納ケースのフランジ４１ａにより、前後に摺動可能としている。この構成によって、最上段の食品収納ケース４１及びこれに収納される食品の荷重は、内箱３２の側壁によって受けられ、フレーム５０に負担がかからない構成となっている」もので、図１において冷凍室３６の最上部に位置するものであるので、最上部に位置する上段の食品収納ケース４１は、下段の食品収納ケース４３および中段の食品収納ケース４２とは独立して冷凍室３６内の側壁面に形成したレール６１に摺動可能に保持されているといえる。
　
　すると、刊行物１には、次の発明（以下「引用発明」という。）が開示されているものということができる。
　「冷凍室３６の前面開口部を閉塞する冷凍室扉３７の裏面に保持され冷凍室内の側壁に形成したレール６３によって引き出し可能に設けられた下段の食品収納ケース４３と、前記冷凍室内に設けられ下段の食品収納ケース４３の上部に配置された中段の食品収納ケース４２および上段の食品収納ケース４１とからなり、中央部に位置する中段の食品収納ケース４２は下段の食品収納ケース４３上に載置されて前後摺動自在に設けられ、最上部に位置する上段の食品収納ケース４１は、下段の食品収納ケース４３および中段の食品収納ケース４２とは独立して冷凍室３６内の側壁面に形成したレール６１に摺動可能に保持されている冷蔵庫。」
　
（２）原査定の拒絶の理由に引用された、本願優先日前に頒布された刊行物である特開平３−１４８５８３号公報（以下「刊行物２」という。）には、野菜室に出入れ可能な野菜容器を供えその内部に補助容器が設けられた冷蔵庫に関し、図面とともに、次の技術的事項が記載されている。
　（オ）「最上部に冷凍室が設けられ、その下方に冷蔵室２及び引き出し式チルド室３が設けられ、その下方に野菜室４が設けられている。」（第２頁右上欄第１０〜１２行）
　（カ）「１４は透明なプラスチックで形成された補助容器で、これは左右の上端縁部を野菜容器１１の上縁部のフランジ部に載置係合して前後に摺動移動可能に支持したもので、野菜容器１１が野菜室４内に収納された状態では、該野菜容器１１の後部上部に位置されている。」（第２頁右下欄第１〜６行）
　（キ）第１図には、チルド室３内に設けられた上方が開放した容器が記載されており、その容器部は、補助容器１４とほぼ同様の深さで記載されされており、さらに、チルド室の容器部の上縁と、その上方の部材との間には、空間が記載されている。
　
　・記載事項（キ）のチルド室３内の容器部の「深さ」と、上方の部材との間の空間とは、両者の和でチルド室収納深さを定義するといえる。
　そして、補助容器の上段のチルド室の収納深さは、補助容器１４とほぼ同様の容器部の深さに、さらに、上方の部材との間の空間を加えたものであるので、「補助容器１４よりも深くした」ものということができる。
　
（３）原査定の拒絶の理由に引用された、本願優先日前に頒布された刊行物である実願平１−１４２２５５号（実開平３−８０２８５号）のマイクロフィルム（以下「刊行物３」という。）には、貯蔵室に出入れ可能な貯蔵容器を供えその内部に補助容器が設けられた冷蔵庫に関し、図面とともに、次の技術的事項が記載されている。
　（ク）「最上部に冷凍室が設けられ、その下方に冷蔵室２及び引き出し式チルド室３が設けられ、その下方に貯蔵室としての野菜室４が設けられている。」（明細書第４頁第８〜１１行）
　（ケ）「１４は透明なプラスチックで形成された補助容器で、これは左右の上端縁部を野菜容器１１の上縁部のフランジ部に摺動可能に載置して前後に移動可能に支持したもので、野菜容器１１が野菜室４内に収納された状態では、該野菜容器１１の後部上部に位置されている。」（明細書第５頁第１９行〜第６頁第５行）
　（コ）第２図は、チルド室３内に設けられた上方が開放した容器が記載されており、その容器部は、補助容器１４とほぼ同様の深さで記載されされており、さらに、チルド室の容器部の上縁と、その上方の部材との間には、空間が記載されている。
　
　・記載事項（コ）のチルド室３内の容器部の「深さ」と、上方の部材との間の空間とは、両者の和でチルド室収納深さを定義するといえる。
　そして、補助容器に対して上段のチルド室の収納深さは、補助容器１４とほぼ同様の容器部の深さに、さらに、上方の部材との間の空間を加えたものであるので、「補助容器１４よりも深くした」ものということができる。
　
３．本願発明と引用発明との対比
（１）両発明の対応関係
　ア．引用発明の「冷凍室３６」は、本願発明の「貯蔵室」に相当し、以下同様に「冷凍室扉３７」は「扉」に、「レール６３」は「レール部材」に、「下段の食品収納ケース４３」は「収納容器」に、「中段の食品収納ケース４２」は「中段容器」に、「上段の食品収納ケース４１」は「上段容器」にそれぞれ相当する。
　
（２）両発明の一致点
「貯蔵室の前面開口部を閉塞する扉の裏面に保持され貯蔵室内の側壁に形成したレール部材によって引き出し可能に設けられた収納容器と、前記貯蔵室内に設けられこの収納容器の上部に配置された中段容器および上段容器とからなり、中央部に位置する前記中段容器は前記収納容器上に載置されて前後摺動自在に設けられ、最上部に位置する上段容器は、前記収納容器および中段容器とは独立して貯蔵室内の側壁面に形成した支持レールに摺動可能に保持される冷蔵庫。」
　
（３）両発明の相違点
　本願発明は、上段容器が「収納深さを前記中段容器よりも深くした」ものであるのに対して、引用発明は、そのようなものでない点。
　
４．本願発明の容易推考性の検討
　相違点について
　ア．まず、一般的に、収納容器の幅、深さ、奥行き等の寸法は、収納物品の形状や、許容される収納容器の外形等を考慮して、設計時に適宜選択される設計値であり、冷蔵庫の貯蔵室に設けられる収納容器においても、このことが変わるものではない。
　このことは、例えば、本願優先日前に頒布された刊行物である特開２０００−１８６８８５号公報の【００１５】で「寸法設定について説明する。まず下部冷凍室の第１の収納ケース１１の深さは、主にストック食品を冷凍収納する目的からおよそ１６０ｍｍに設定している。下部冷凍室の第２の収納ケース１２の深さは、小物の冷凍食品等を視認性良く収納する目的からおよそ１００ｍｍに設定している。上部冷凍室の収納ケース１０は、収納部を左右に分割し、一方を氷収納部、他方を冷凍食品収納部とし、氷の収納量、冷凍食品の収納及び整理性を考慮して、深さをおよそ１５０ｍｍと設定している。」と、収納容器の深さを収納物品に対応して選択していることを明示的に記載している様に明らかなことである。
　イ．一方、多段構成の収納容器において、上段容器の収納深さを中段容器よりも深くした態様のものも、刊行物２，３、さらに、上記特開２０００−１８６８８５号公報【図１】や、本願優先日前に頒布された刊行物である特開２００２−２７７１３６号公報【図４】の野菜室１２の中の上段の収納容器５４ａと次段の収納容器５４ｂも、そのような態様で記載されている様に周知であり、特別なものではない。
　ウ．そうすると、引用発明の食品収納ケース４１，４２、４３を具現化するにあたり、上記周知の態様のものを選択して、相違点に係る発明特定事項とすることは当業者が容易に想到し得たことである。
　エ．さらに、本願発明の作用効果は、引用発明、及び周知事項から当業者であれば予測できた範囲のものである。
（例えば、本願明細書に背景技術として提示されている、本願優先日前に頒布された刊行物である特開２００５−８３６８７号公報【００５８】には「上段容器は、冷凍室の最上段にあり、その収納深さ寸法が小さいため、仕切り部材７に隠れて把手８２ａが見えにくくなっている。」旨記載されており、上記周知の態様とした容器が、本願明細書【発明の効果】記載の「区分配置された引き出し式容器のいずれもを見易くし、特に最上段の容器の目視を容易にして収納食品の使い忘れを防止することができる」なる効果を生ずることを予測することが特段困難なものとは認められない。） 
 　したがって、本願発明は、引用発明、及び周知事項に基づいて当業者が容易に発明をすることができたものである。 
　
５．むすび
　したがって、本願発明については、特許法第２９条第２項の規定により特許を受けることができない。
　そうすると、このような特許を受けることができない発明を包含する本願は、本願の他の請求項に係る発明について検討するまでもなく拒絶されるべきものである。
　よって、結論のとおり審決する。